(57)【要約】【課題】トレイを筐体に収納する際、トレイの収納条件に起因して発生するトレイと筐体の係合ミスを回避することが可能な光ディスク装置を提供することを目的とする。【解決手段】少なくとも、筐体と、筐体に収納または引き出し自在に設けられたトレイ３と、トレイ３に設けられたスピンドルモータ７と、トレイ３に設けられた光ピックアップ２０と、筐体とトレイ３を係合するイジェクトロック機構と、筐体とトレイ３を移動自在に保持するレールと、トレイ３に設けられレールを保持するレール保持部６と、筐体に設けられレールを保持するレールガイド３０を備え、レールガイド３０が突起部３１を有し、突起部３１が、トレイ３が筐体に収納されている時に、レールの端面よりスピンドルモータ７側で、かつスピンドルモータ７の回転中心よりトレイ３の収納方向側に位置する。【選択図】図５
2007066485.tif 000002
【特許請求の範囲】
【請求項１】
少なくとも、筐体と、前記筐体に収納または引き出し自在に設けられたトレイと、前記トレイに設けられた回転駆動手段と、前記トレイに設けられた光ピックアップと、前記筐体と前記トレイを係合するイジェクトロック機構と、前記筐体と前記トレイを移動自在に保持するレールと、前記トレイに設けられ前記レールを保持するレール保持部と、前記筐体に設けられ前記レールを保持するレールガイドを備え、
前記レールガイドは突起部を有し、
前記突起部は、
前記トレイが前記筐体に収納されている時に、
前記レールより前記回転駆動手段側で、かつ前記回転駆動手段の回転中心より前記トレイの収納方向側に位置することを特徴とする光ディスク装置。
【請求項２】
少なくとも、筐体と、前記筐体に収納または引き出し自在に設けられたトレイと、前記トレイに設けられた回転駆動手段と、前記トレイに設けられた光ピックアップと、前記筐体と前記トレイを係合するイジェクトロック機構と、前記筐体と前記トレイを移動自在に保持するレールと、前記トレイに設けられた前記レールを保持するレール保持部と、前記筐体に設けられた前記レールを保持するレールガイドを備え、
前記レールガイドは平板部を有し、
前記平板部は、
前記トレイが前記筐体に収納されている時に、
前記レールより前記回転駆動手段側で、かつ前記回転駆動手段の回転中心より前記トレイの収納方向側に位置することを特徴とする光ディスク装置。
【請求項３】
前記トレイの収納方向に対して垂直方向でかつ前記筐体の主平面部と平行方向において、前記レール保持部を収納するレール保持部収納領域の収納口の幅は、前記レール保持部の位置規制を行なう位置規制部の幅に対して広いことを特徴とする請求項１、２のいずれか１項に記載の光ディスク装置。
【請求項４】
前記レール保持部収納領域の収納口を形成する１つの平面は、前記トレイが前記筐体に収納される時の前記レール保持部の進行方向に対して３０°〜６０°の角度を有することを特徴とする請求項１〜３のいずれか１項に記載の光ディスク装置。
【請求項５】
前記突起部または前記平板部は、前記レールガイドと一体で構成されていることを特徴とする請求項１〜４のいずれか１項に記載の光ディスク装置。
【請求項６】
少なくとも、筐体と、前記筐体に収納または引き出し自在に設けられたトレイと、前記トレイに設けられた回転駆動手段と、前記トレイに設けられた光ピックアップと、前記筐体と前記トレイを係合するイジェクトロック機構と、前記筐体と前記トレイを移動自在に保持するレールと、前記トレイに設けられ前記レールを保持するレール保持部と、前記筐体に設けられ前記レールを保持するレールガイドを備え、
前記レールガイドは突起部を有し、
前記イジェクトロック機構は、ロックアーム、ロックシャフトを有し、
前記ロックアームと前記ロックシャフトが係合する直前に、
前記レール保持部の端部が、前記突起部を構成する面と前記レールガイドを構成する面から形成されるレール保持部収納領域に収納されることを特徴とする光ディスク装置。
【請求項７】
少なくとも、筐体と、前記筐体に収納または引き出し自在に設けられたトレイと、前記トレイに設けられた回転駆動手段と、前記トレイに設けられた光ピックアップと、前記筐体と前記トレイを係合するイジェクトロック機構と、前記筐体と前記トレイを移動自在に保持するレールと、前記トレイに設けられ前記レールを保持するレール保持部と、前記筐体に設けられ前記レールを保持するレールガイドを備え、
前記レールガイドは平板部を有し、
前記イジェクトロック機構は、ロックアーム、ロックシャフトを有し、
前記ロックアームと前記ロックシャフトが係合する直前に、
前記レール保持部の端部が、前記平板部を構成する面と前記レールガイドを構成する面から形成されるレール保持部収納領域に収納されることを特徴とする光ディスク装置。
【発明の詳細な説明】
【技術分野】
【０００１】
本発明は、光ディスクに情報の記録または再生の少なくとも一方を行う光ディスク装置に関するものである。
【背景技術】
【０００２】
光ディスク装置は、各方面への応用と高性能化への開発が活発に行われている。特に最近では、使用者の用途が多岐に渡り、あらゆる使われ方で支障を生じない光ディスク装置が望まれるようになってきた。電子機器に搭載される光ディスク装置の光ディスクの装着方法としては筐体よりトレイが引き出され、このトレイに光ディスクを取り付け、再び筐体に戻して装着する方式（以下トレイ方式と称する）が一般的である。
【０００３】
ここで、従来のトレイ方式光ディスク装置の構成について、図を用いて説明する。
【０００４】
図１２は従来の光ディスク装置の外観斜視図であり、図１３は従来の光ディスク装置から上部筐体部を除いた平面図である。図１２、図１３において、１は光ディスク装置、２は筐体、２ａは上部筐体部、２ｂは下部筐体部、３はトレイ、４は光ピックアップモジュール、５はレール、６はレール保持部、７はスピンドルモータ、７ａは光ディスク装着部、８はカバー、８ａは開口、９はキャリッジ、１０はベゼル、１１はイジェクトボタン、２０は光ピックアップ、３０はレールガイドである。
【０００５】
光ディスク装置１は、筐体２と、筐体２に出没自在に保持されたトレイ３を有している。筐体２は、金属製の上部筐体部２ａ、下部筐体部２ｂを組み合わせて袋状であり、筐体２の開口からトレイ３が出没する構成となっている。トレイ３には、裏面から光ピックアップモジュール４が取り付けられている。
【０００６】
トレイ３の側面部にはレール保持部６があり、側面部と共にレール５とトレイ３を引き出し方向に移動自在に保持している。また、レール５は筐体２側面部の内面に設けられたレールガイド３０ともディスク引き出し方向に移動自在に保持されており、トレイ３は筐体２からディスクが着脱できるように引き出すことが出来る。上部筐体部２ａと下部筐体部２ｂとは図示していない係合手段と螺旋などを用いて、互いに強固に固定されている。
【０００７】
光ピックアップモジュール４は、光ディスクを回転駆動させるスピンドルモータ７と、スピンドルモータ７から外周にかけて開口８ａを設けたカバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【０００８】
１０はトレイ３の前面に設けられたベゼルで、ベゼル１０は筐体２の開口を塞ぐ程度の大きさで構成されている。キャリッジ９には、高出力のレーザーダイオード等の光源，各種光学部材及び光ディスク上に光スポットを構成する対物レンズなどが搭載されている。筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、あるいは外部からの信号を光ディスク装置内に導いたり、あるいは光ディスク装置１で生成された電気信号を電子機器などに送出する。トレイ３の前端面に設けられたベゼル１０にはイジェクトボタン１１が設けられており、このイジェクトボタン１１を押すことで、筐体２に設けられた係合部とトレイ３に設けられた係合部との係合を解除し、トレイ３は筐体２から光ディスクが着脱できるよう引き出すことができる。
【０００９】
この分野の先行例として、（特許文献１）等がある。
【特許文献１】特開２００４−１５２４３４号公報
【発明の開示】
【発明が解決しようとする課題】
【００１０】
図１４は、従来の光ディスク装置におけるイジェクトロック機構部を示す平面図であり、図１４に示す光ディスク装置１のイジェクトボタン１１の裏面方向に配置されている。図１４において、１２はソレノイド、１３は可動片、１４はリセットアーム、１５はリリースアーム、１６はロックアーム、１７はイジェクトスプリング、１８はロックシャフト、１９はイジェクトアームである。図１４はロックアーム１６がロックシャフト１８に係合した状態を示しており、このとき、トレイ３は閉じた状態となっている。また、イジェクトボタン１１を押すことにより可動片１３とソレノイド１２の吸着が解除されると、リリースアーム１５が回動し、リリースアーム１５はロックアーム１６との接触部を介してロックアーム１６を回動させ、これによりロックアーム１６がロックシャフト１８から離れるとロックが解除されて、トレイ３が開いた状態となる。
【００１１】
このソレノイド１２は、その動作部である可動片１３がソレノイド１２から離脱する動作の後（非リセット状態）、初期位置（リセット状態）に自己復帰が出来ないため、この可動片１３を初期位置（リセット状態）に戻す動作が必要となる。そのため、一般的には、図１４に示したリセットアーム１４やリリースアーム１５の回動を利用して、使用者がトレイ３を筐体２に収納する動作によって、可動片１３が初期位置（リセット状態）に戻るように復帰動作させる。
【００１２】
以下、イジェクトロック機構の復帰動作について、図１５を用いて説明する。
【００１３】
図１５は、従来の光ディスク装置におけるトレイが筐体に収納される時のイジェクトロック機構部の復帰動作を示す図であり、図１５（ａ）はソレノイドの可動片がリセット状態に復帰を開始する状態を示した図、図１５（ｂ）はソレノイドの可動片がリセット状態に復帰する途中の状態を示した図、図１５（ｃ）はソレノイドの可動片がリセット状態になった状態を示した図、図１５（ｄ）はロックアームとロックシャフトが係合できなかった状態を示した図である。図１５において、１２はソレノイド、１３は可動片、１４はリセットアーム、１５はリリースアーム、１６はロックアーム、１７はイジェクトスプリング、１８はロックシャフト、１９はイジェクトアームである。
【００１４】
図１５（ａ）に示すように、使用者によりベゼル１０を介してトレイ３が筐体２に収納されるとき、ロックシャフト１８がリセットアーム１４に接触し、リセットアーム１４は回動する。次に、図１５（ｂ）に示すように、リセットアーム１４の回転運動はリリースアーム１５へ伝達され、リリースアーム１５は可動片１３をソレノイド１２の方へ近づけ接触させ、可動片１３はソレノイド１２と吸着する。ここで、可動片１３とソレノイド１２が吸着した状態が図１５（ｃ）である。
【００１５】
図１５（ａ）〜図１５（ｃ）において、トレイ３を筐体２に収納する動作を行う場合、トレイ３と筐体２との間にクリアランス量を１ｍｍ程度設ける必要があるため、リセットアーム１４の回転中心とロックシャフト１８の中心間距離、すなわちＡ寸法がトレイ３の収納条件によって所定の寸法から大きくなったり小さくなったりする。特に、ベゼル１０の端部を押し込むことにより、トレイ３を収納しようとした場合、その影響が顕著となる。
【００１６】
Ａ寸法が最も大きくなった条件、すなわちリセットアーム１４がロックシャフト１８から最も離れる条件でトレイを収納する場合は、リセットアーム１４の回転角度が少なくなり、可動片１３の可動距離が最も小さくなる。また、Ａ寸法が最も小さくなった条件、すなわちリセットアーム１４がロックシャフト１８から最も近づく条件でトレイを収納する場合は、リセットアーム１４の回転角度が大きくなり、可動片１３の可動距離が最も大きくなる。
【００１７】
そのため、Ａ寸法が大きくなった状態では、図１５（ｄ）に示すようにロックアーム１６とロックシャフト１８が係合できず、トレイ３を筐体２に収納した状態で保持することができない場合があった。
【００１８】
本発明は、このような従来の課題を解決するものであり、トレイを筐体に収納する際、トレイの収納条件に起因して発生するトレイと筐体の係合ミスを回避することが可能な光ディスク装置を提供することを目的とする。
【課題を解決するための手段】
【００１９】
本発明は、上記課題を解決するためになされたものであり、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられレールを保持するレール保持部と、筐体に設けられレールを保持するレールガイドを備え、レールガイドは突起部を有し、その突起部が、トレイが筐体に収納されている時に、レールより回転駆動手段側で、かつ回転駆動手段の回転中心よりトレイの収納方向側に位置することを特徴とする光ディスク装置である。
【００２０】
また、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられたレールを保持するレール保持部と、筐体に設けられた前記レールを保持するレールガイドを備え、レールガイドは平板部を有し、その平板部が、トレイが筐体に収納されている時に、レールより回転駆動手段側で、かつ回転駆動手段の回転中心よりトレイの収納方向側に位置することを特徴とする光ディスク装置である。
【００２１】
さらに、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられレールを保持するレール保持部と、筐体に設けられ前記レールを保持するレールガイドを備え、レールガイドが突起部を有し、イジェクトロック機構がロックアーム、ロックシャフトを有し、ロックアームとロックシャフトが係合する直前に、レール保持部の端部が、突起部を構成する面とレールガイドを構成する面から形成されるレール保持部収納領域に収納されることを特徴とする光ディスク装置である。
【００２２】
さらにまた、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられレールを保持するレール保持部と、筐体に設けられレールを保持するレールガイドを備え、レールガイドが平板部を有し、イジェクトロック機構がロックアーム、ロックシャフトを有し、ロックアームとロックシャフトが係合する直前に、レール保持部の端部が、平板部を構成する面とレールガイドを構成する面から形成されるレール保持部収納領域に収納されることを特徴とする光ディスク装置である。
【発明の効果】
【００２３】
本発明は上記構成により、レールガイドが突起部または平板部を有し、その突起部または平板部が、トレイが筐体に収納されている時に、レールより回転駆動手段側で、かつ回転駆動手段の回転中心よりトレイの収納方向側に位置することによって、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となる。そのため、トレイを筐体に収納する際、トレイの収納条件に起因して発生するトレイと筐体の係合ミスを回避することが可能な光ディスク装置を実現することができる。
【００２４】
また、レールガイドが突起部または平板部を有し、イジェクトロック機構がロックアーム、ロックシャフトを有し、ロックアームとロックシャフトが係合する直前に、レール保持部の端部が、突起部または平板部を構成する面とレールガイドを構成する面から形成されるレール保持部収納領域に収納されることによって、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となる。そのため、トレイを筐体に収納する際、トレイの収納条件に起因して発生するトレイと筐体の係合ミスを回避することが可能な光ディスク装置を実現することができる。
【発明を実施するための最良の形態】
【００２５】
請求項１記載の発明は、少なくとも、筐体と、筐体に収納または引き出し自在に設けられたトレイと、トレイに設けられた回転駆動手段と、トレイに設けられた光ピックアップと、筐体と前記トレイを係合するイジェクトロック機構と、筐体とトレイを移動自在に保持するレールと、トレイに設けられレールを保持するレール保持部と、筐体に設けられレールを保持するレールガイドを備え、レールガイドが突起部を有し、その突起部が、トレイが前記筐体に収納されている時に、レールより回転駆動手段側で、かつ回転駆動手段の回転中心よりトレイの収納方向側に位置することを特徴とする光ディスク装置である。レールガイドが突起部を有し、その突起部が、トレイが前記筐体に収納されている時に、レールより回転駆動手段側で、かつ回転駆動手段の回転中心よりトレイの収納方向側に位置することによって、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となる。そのため、トレイを筐体に収納する際、トレイの収納条件に起因して発生するトレイと筐体の係合ミスを回避することが可能な光ディスク装置を実現することができる。
【００２６】
請求項２記載の発明は、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられたレールを保持するレール保持部と、筐体に設けられたレールを保持するレールガイドを備え、レールガイドが平板部を有し、その平板部が、トレイが筐体に収納されている時に、レールより回転駆動手段側で、かつ回転駆動手段の回転中心よりトレイの収納方向側に位置することを特徴とする光ディスク装置である。レールガイドが平板部を有し、その平板部が、トレイが筐体に収納されている時に、レールより回転駆動手段側で、かつ回転駆動手段の回転中心よりトレイの収納方向側に位置することによって、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となる。そのため、トレイを筐体に収納する際、トレイの収納条件に起因して発生するトレイと筐体の係合ミスを回避することが可能な光ディスク装置を実現することができる。
【００２７】
請求項３記載の発明は、トレイの収納方向に対して垂直方向でかつ筐体の主平面部と平行方向において、レール保持部を収納するレール保持部収納領域の収納口の幅が、レール保持部の位置規制を行なう位置規制部の幅に対して広いことを特徴とする請求項１、２のいずれか１項に記載の光ディスク装置である。トレイの収納方向に対して垂直方向でかつ前記筐体の主平面部と平行方向において、レール保持部を収納するレール保持部収納領域の収納口の幅が、レール保持部の位置規制を行なう位置規制部の幅に対して広いことによって、トレイが筐体に収納される際、レール保持部の先端部をレールガイドに設けられたレール保持部収納領域へスムーズに導くことができる。
【００２８】
請求項４記載の発明は、レール保持部収納領域の収納口を形成する１つの平面が、トレイが筐体に収納される時のレール保持部の進行方向に対して３０°〜６０°の角度を有することを特徴とする請求項１〜３のいずれか１項に記載の光ディスク装置である。レール保持部収納領域の収納口を形成する１つの平面が、トレイが筐体に収納される時のレール保持部の進行方向に対して３０°〜６０°の角度を有することによって、トレイが筐体に収納される際、レール保持部の先端部をレールガイドに設けられたレール保持部収納領域へ更にスムーズに導くことができる。
【００２９】
請求項５記載の発明は、突起部または平板部が、レールガイドと一体で構成されていることを特徴とする請求項１〜４のいずれか１項に記載の光ディスク装置である。突起部または平板部がレールガイドと一体で構成されていることによって、突起部とレールガイドの構成を容易に形成することができ、強度も十分確保することができる。
【００３０】
請求項６記載の発明は、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられレールを保持するレール保持部と、筐体に設けられレールを保持するレールガイドを備え、レールガイドが突起部を有し、イジェクトロック機構がロックアーム、ロックシャフトを有し、ロックアームとロックシャフトが係合する直前に、レール保持部の端部が、突起部を構成する面とレールガイドを構成する面から形成されるレール保持部収納領域に収納されることを特徴とする光ディスク装置である。レールガイドが突起部を有し、イジェクトロック機構がロックアーム、ロックシャフトを有し、ロックアームとロックシャフトが係合する直前に、レール保持部の端部が、突起部を構成する面とレールガイドを構成する面から形成されるレール保持部収納領域に収納されることによって、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となる。そのため、トレイを筐体に収納する際、トレイの収納条件に起因して発生するトレイと筐体の係合ミスを回避することが可能な光ディスク装置を実現することができる。
【００３１】
請求項７記載の発明は、少なくとも、筐体と、筐体に収納または引き出し自在に設けられたトレイと、トレイに設けられた回転駆動手段と、トレイに設けられた光ピックアップと、筐体とトレイを係合するイジェクトロック機構と、筐体とトレイを移動自在に保持するレールと、トレイに設けられレールを保持するレール保持部と、筐体に設けられレールを保持するレールガイドを備え、レールガイドが平板部を有し、イジェクトロック機構がロックアーム、ロックシャフトを有し、ロックアームとロックシャフトが係合する直前に、レール保持部の端部が、平板部を構成する面とレールガイドを構成する面から形成されるレール保持部収納領域に収納されることを特徴とする光ディスク装置である。レールガイドが平板部を有し、イジェクトロック機構がロックアーム、ロックシャフトを有し、ロックアームとロックシャフトが係合する直前に、レール保持部の端部が、平板部を構成する面とレールガイドを構成する面から形成されるレール保持部収納領域に収納されることによって、トレイが筐体に収納される際の、トレイの収納方向に対して垂直方向でかつ筐体の主平面部と平行方向におけるトレイの可動領域を一定の範囲内でコントロールすることができるようになるため、イジェクトロック機構が設けられたトレイの収納条件を一定範囲でコントロールすることが可能となる。そのため、トレイを筐体に収納する際、トレイの収納条件に起因して発生するトレイと筐体の係合ミスを回避することが可能な光ディスク装置を実現することができる。
【００３２】
（実施の形態１）
以下、本発明の一実施の形態について図面を参照しながら説明する。
【００３３】
図１は本発明の一実施の形態における光ディスク装置の外観斜視図である。また、図２は本発明の一実施の形態における光ディスク装置の平面図であり、ベゼルを外した状態のものである。図１、図２において、１は光ディスク装置、２は筐体、２ａは上部筐体部、２ｂは下部筐体部、３はトレイ、４は光ピックアップモジュール、５はレール、６はレール保持部、７はスピンドルモータ、７ａは光ディスク装着部、８はカバー、８ａは開口、９はキャリッジ、１０はベゼル、１１はイジェクトボタン、２０は光ピックアップ、３０はレールガイドである。
【００３４】
光ディスク装置１は、筐体２と、筐体２に出没自在に保持されたトレイ３を有している。筐体２は、金属製の上部筐体部２ａ、下部筐体部２ｂを組み合わせて袋状であり、筐体２の開口からトレイ３が出没する構成となっている。トレイ３には、裏面から光ピックアップモジュール４が取り付けられている。
【００３５】
トレイ３の側面部にはレール保持部６があり、側面部と共にレール５とトレイ３を引き出し方向に移動自在に保持している。また、レール５は筐体２側面部の内面に設けられたレールガイド３０ともディスク引き出し方向に移動自在に保持されており、トレイ３は筐体２からディスクが着脱できるように引き出すことが出来る。上部筐体部２ａと下部筐体部２ｂとは図示していない係合手段と螺旋などを用いて、互いに強固に固定されている。
【００３６】
光ピックアップモジュール４は、光ディスクを回転駆動させるスピンドルモータ７と、スピンドルモータ７から外周にかけて開口８ａを設けたカバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【００３７】
１０はトレイ３の前面に設けられたベゼルで、ベゼル１０は筐体２の開口を塞ぐ程度の大きさで構成されている。キャリッジ９には、高出力のレーザーダイオード等の光源，各種光学部材及び光ディスク上に光スポットを構成する対物レンズなどが搭載されている。筐体２の奥部には固定して設けられた回路基板があり、回路基板には信号処理系のＩＣや電源回路などが搭載されている。トレイ３に設けられた図示していない回路基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、あるいは外部からの信号を光ディスク装置内に導いたり、あるいは光ディスク装置１で生成された電気信号を電子機器などに送出する。トレイ３の前端面に設けられたベゼル１０にはイジェクトボタン１１が設けられており、このイジェクトボタン１１を押すことで、筐体２に設けられた係合部とトレイ３に設けられた係合部との係合を解除し、トレイ３は筐体２から光ディスクが着脱できるよう引き出すことができる。
【００３８】
次に、レールガイドについて説明する。
【００３９】
図３は本発明の一実施の形態におけるレールガイドの外観斜視図である。図４は、本発明の一実施の形態における突起部の図であり、図３に示す破線部Ｃの拡大平面図である。図３、図４において、３０はレールガイド、３１は突起部、３１ａは平面部、３２はレール保持部収納領域である。
【００４０】
レールガイド３０は、その内部をレール５が摺動自在に移動できるように、トレイ３の収納方向に対して垂直方向の断面を略コの字形の形状として、ポリアセタール等のプラスチック材料で成形されている。そして、レールガイド３０の長手方向がトレイ３の収納方向と平行で、筐体２側面部の内壁面に略コの字形の開口側を筐体２の内側に向かうように取り付けている。
【００４１】
レールガイド３０の大きさは筐体２の大きさにより変更する必要があるが、本実施の形態におけるレールガイド３０は、トレイ３の収納方向に対して垂直方向の断面の外形が約５ｍｍ×約６ｍｍで、トレイ３の収納方向に対して垂直方向の断面の内径が約４ｍｍ×約４．５ｍｍ、長手方向の長さが約１２０ｍｍの略棒状とした。
【００４２】
レールガイド３０には突起部３１が設けられており、その突起部３１は、トレイ３が筐体２に収納されている時に、レール５の端面より回転駆動手段であるスピンドルモータ７側で、かつスピンドルモータ７の回転中心よりトレイ３の収納方向側に位置するように設けられている。本実施の形態においては、設けられる突起部３１を、トレイ３の収納方向で約２ｍｍ、ベゼル１０から見た幅方向で約１ｍｍ、光ディスク装置１の厚み方向で約２ｍｍとして、レールガイド３０と一体で成形し、１つのレールガイド３０に対して１つの突起部３１を設けることにした。設けられる突起部３１の数は１つのレールガイド３０に対して１つに限定されるものではなく、また左右に設けられたレールガイド３０の両方に突起部３１を設ける必要はない。
【００４３】
突起部３１を構成する面とレールガイド３０を構成する複数の面からレール保持部収納領域３２が形成され、このレール保持部収納領域３２は、レール保持部６がレールガイド３０に収納される際に、レール保持部６の収納方向側先端部分である先端部６ａが収納される空間となる。図４に示すレールガイド３０は、ベゼル１０側から見て筐体２の左側側面内側に配置され、このレールガイド３０に設けられたレール保持部収納領域３２に、ベゼル１０側から見てトレイ３の左側側面に設けられたレール保持部６の先端部６ａが収納される。レール保持部６の先端部６ａとレール保持部収納領域３２の位置関係については図７〜図９を用いて後述することにする。
【００４４】
レール保持部６の先端部６ａを収納するレール保持部収納領域３２のレール保持部収納口の幅（Ｄ寸法）は、トレイ３の収納方向に対して垂直方向でかつ筐体２の主平面部と平行方向において、レール保持部６の位置規制を行なう位置規制部の幅（Ｅ寸法）に対して広いものとした。そして、レール保持部収納領域３２の収納口を形成する１つの平面部３１ａを、トレイ３が筐体２に収納される時のレール保持部６の進行方向に対して３０°〜６０°の角度を有したものとした。本実施の形態において、レール保持部収納領域３２の収納口を形成する１つの平面部３１ａは突起部３１を形成している面と同一の面とし、トレイ３が筐体２に収納される時のレール保持部６の進行方向に対して約４５°の角度を有するものとした。
【００４５】
次に、レール保持部の先端部がレールガイドに設けられたレール保持部収納領域に導かれる様子について説明する。
【００４６】
図５、図６は、本発明の一実施の形態における光ディスク装置の平面図であり、上部筐体部２ａを外した状態のものである。図５、図６において、１は光ディスク装置、２ｂは下部筐体部、３はトレイ、４は光ピックアップモジュール、７はスピンドルモータ、７ａは光ディスク装着部、８はカバー、８ａは開口、９はキャリッジ、１０はベゼル、２０は光ピックアップ、３０はレールガイド、３１は突起部、３２はレール保持部収納領域である。また、図７〜図９は、レール保持部の先端部とレール保持部収納領域の位置関係を示す図であり、図７はレール保持部の先端部がレール保持部収納領域に収納される前の状態を示し、図８はレール保持部の先端部がレール保持部収納領域に収納される直前の状態を示し、図９はレール保持部の先端部がレール保持部収納領域に収納された後の状態を示したものである。図７〜図９において、５はレール、６はレール保持部、６ａは先端部、３０はレールガイド、３１は突起部、３２はレール保持部収納領域であり、Ｄ寸法はトレイ３の収納方向に対して垂直方向でかつ筐体の主平面部と平行方向におけるレール保持部収納領域３２の収納口の幅、Ｅ寸法はＤ寸法と同一方向におけるレール保持部６の位置規制部の幅、Ｆ寸法はＤ寸法と同一方向におけるレール保持部６の先端部６ａの幅である。
【００４７】
図５に示すトレイ３が筐体２から引き出されている場合、レール保持部６の先端部６ａとレール保持部収納領域３２の収納口の関係は図７の様になっている。図７の状態では、レール保持部６の先端部６ａがレール保持部収納領域３２の空間に収納されておらず、この状態でのトレイ３の収納方向に対して垂直方向でかつ筐体２の主平面部と平行方向におけるトレイ３の可動領域は、トレイ３と筐体２のクリアランス量そのものになる。
【００４８】
次に、トレイ３が筐体２へ収納され始め、図１５に示すＡ寸法が大きくなった場合、レール保持部６の先端部６ａとレール保持部収納領域３２の収納口の関係は図８の様になっている。図８の状態では、レール保持部６の先端部６ａがレール保持部収納領域３２の空間に収納される直前であり、この状態でのトレイ３の収納方向に対して垂直方向でかつ筐体２の主平面部と平行方向におけるトレイ３の可動領域は、トレイ３と筐体２のクリアランス量から小さくなっていく。これは、レール保持部６の先端部６ａが、レール保持部収納口を形成する平面部３１ａに沿うように移動することによるものである。
【００４９】
最後に、図６に示すトレイ３が筐体２へ完全に収納された後の場合、レール保持部６の先端部６ａとレール保持部収納領域３２の収納口の関係は図９の様になっている。図９の状態では、レール保持部６の先端部６ａがレール保持部収納領域３２の空間に完全に収納されており、この状態でのトレイ３の収納方向に対して垂直方向でかつ筐体２の主平面部と平行方向におけるトレイ３の可動領域は、Ｅ寸法からＦ寸法とレール３の板厚を引いたものとなる。
【００５０】
本実施の形態においては、Ｅ寸法を３．３ｍｍ、Ｆ寸法を２．５ｍｍ、レール３の板厚を０．５ｍｍとした。そのため、従来と同様に、トレイ３と筐体２との間にクリアランス量を１ｍｍ程度設けても、トレイ３が筐体２に収納される直前、つまりレール保持部６の先端部６ａがレール保持部収納領域３２の空間に収納される後には、トレイ３の収納方向に対して垂直方向でかつ筐体２の主平面部と平行方向におけるトレイ３の可動領域は０．３ｍｍとなる。このようにして、図１５に示すロックアーム１６とロックシャフト１８が係合する直前に、Ａ寸法をトレイ３と筐体２との間に設けたクリアランス量以下の一定の範囲内でコントロールすることが可能になる。
【００５１】
また、レール保持部６の先端部６ａを収納するレール保持部収納領域３２のレール保持部収納口の幅（Ｄ寸法）を、トレイ３の収納方向に対して垂直方向でかつ筐体２の主平面部と平行方向において、レール保持部６の位置規制を行なう位置規制部の幅（Ｅ寸法）に対して広いものとしたため、トレイ３が筐体２に収納される際、レール保持部６の先端部６ａをレールガイド３０に設けられたレール保持部収納領域３２へスムーズに導くことができる。
【００５２】
さらに、レール保持部収納領域３２の収納口を形成する１つの平面部３１ａは、トレイ３が筐体２に収納される時のレール保持部６の進行方向に対して、３０°〜６０°の範囲である約４５°の角度を有したものとしている。そのため、トレイ３が筐体２に収納される際、レール保持部６の先端部６ａをレールガイド３０に設けられたレール保持部収納領域３２へ更にスムーズに導くことができる。
【００５３】
なお、本実施の形態においては、トレイ３の収納方向に対して垂直方向でかつ筐体２の主平面部と平行方向において、レール保持部６の先端部６ａを収納するレール保持部収納領域３２のレール保持部収納口の幅（Ｄ寸法）を、トレイ３の収納方向に対して垂直方向でかつ筐体２の主平面部と平行方向において、レール保持部６の位置規制を行なう位置規制部の幅（Ｅ寸法）に対して広いものとしたが、レール保持部収納口の幅（Ｄ寸法）はレール保持部６の位置規制を行なう位置規制部の幅（Ｅ寸法）に対して広くすることに限定されるものではなく、Ｄ寸法とＥ寸法が等しい場合、つまり図４における平面部３１ａがない場合でも良い。レール保持部６の先端部６ａのレール保持部収納領域３２への挿入性を考慮すれば、Ｄ寸法はＥ寸法に対して大きいほうが好ましい。
【００５４】
また、レール保持部収納領域３２の収納口を形成する１つの平面部３１ａを、トレイ３が筐体２に収納される時のレール保持部６の進行方向に対して３０°〜６０°の範囲の角度を有したものとしたが、１つの平面部３１ａの角度はこれに限定されるものではない。レール保持部６の先端部６ａのレール保持部収納領域３２への挿入性を考慮すれば、１つの平面部３１ａの角度は約４５°の角度が好ましい。
【００５５】
以上の内容により、少なくとも、筐体２と、筐体２に収納または引き出し自在に設けられたトレイ３と、トレイ３に設けられた回転駆動手段の一例であるスピンドルモータ７と、トレイ３に設けられた光ピックアップ２０と、筐体２とトレイ３を係合するイジェクトロック機構と、筐体２とトレイ３を移動自在に保持するレール５と、トレイ３に設けられレール５を保持するレール保持部６と、筐体２に設けられレール５を保持するレールガイド３０を備え、レールガイド３０が突起部３１を有し、その突起部３１が、トレイ３が筐体２に収納されている時に、レール５の端面よりスピンドルモータ７側で、かつスピンドルモータ７の回転中心よりトレイ３の収納方向側に位置することによって、トレイ３が筐体２に収納される際の、トレイ３の収納方向に対して垂直でかつ筐体２を構成する上部筐体部２ａまたは下部筐体部２ｂの主平面部と平行である方向におけるトレイ３の可動領域を一定の範囲内でコントロールすることができるようになるため、イジェクトロック機構が設けられたトレイ３の収納条件を一定範囲でコントロールすることが可能となる。そのため、トレイ３を筐体２に収納する際、トレイ３の収納条件に起因して発生するトレイ３と筐体２の係合ミスを回避することが可能な光ディスク装置を実現することができる。
【００５６】
また、少なくとも、筐体２と、筐体２に収納または引き出し自在に設けられたトレイ３と、トレイ３に設けられた回転駆動手段の一例であるスピンドルモータ７と、トレイ３に設けられた光ピックアップ２０と、筐体２とトレイ３を係合するイジェクトロック機構と、筐体２とトレイ３を移動自在に保持するレール５と、トレイ３に設けられレール５を保持するレール保持部６と、筐体２に設けられレール５を保持するレールガイド３０を備え、レールガイド３０は突起部３１を有し、イジェクトロック機構は、ロックアーム１６、ロックシャフト１８を有し、ロックアーム１６とロックシャフト１８が係合する直前に、レール保持部６の端部が、突起部３１を構成する面とレールガイド３０を構成する面から形成されるレール保持部収納領域３２に収納されることによって、トレイ３が筐体２に収納される際の、トレイ３の収納方向に対して垂直でかつ筐体２を構成する上部筐体部２ａまたは下部筐体部２ｂの主平面部と平行である方向におけるトレイ３の可動領域を一定の範囲内でコントロールすることができるようになるため、イジェクトロック機構が設けられたトレイ３の収納条件を一定範囲でコントロールすることが可能となる。そのため、トレイ３を筐体２に収納する際、トレイ３の収納条件に起因して発生するトレイ３と筐体２の係合ミスを回避することが可能な光ディスク装置を実現することができる。
【００５７】
なお、本実施の形態においては、レールガイド３０が突起部３１を有し、その突起部３１が、トレイ３が筐体２に収納されている時に、レール５の端面よりスピンドルモータ７側で、かつスピンドルモータ７の回転中心よりトレイ３の収納方向側に位置するように設けられていることについて説明したが、突起部３１が図１０に表した本発明の一実施の形態における平板部の図に示した平板部４１に置き換わっても同様のメカニズムにより同様の効果を得ることができる。
【００５８】
また、レール保持部収納口を形成する１つの平面部３１ａは、トレイ３が筐体２に収納される時のレール保持部６の進行方向に対して３０°〜６０°の範囲の角度を有したものとしたが、レール保持部収納領域３２の収納口を形成する１つの平面部３１ａは、図１１に表した本発明の一実施の形態における突起部の一例を示す図に示したような曲面形状であっても良い。
【産業上の利用可能性】
【００５９】
本発明は、トレイを筐体に収納する際、トレイの収納条件に起因して発生するトレイと筐体の係合ミスを回避することができるため、光ディスクに情報の記録または再生の少なくとも一方を行う光ディスク装置などに適応可能である。
【図面の簡単な説明】
【００６０】
【図１】本発明の一実施の形態における光ディスク装置の外観斜視図
【図２】本発明の一実施の形態における光ディスク装置の平面図
【図３】本発明の一実施の形態におけるレールガイドの外観斜視図
【図４】本発明の一実施の形態における突起部の図
【図５】本発明の一実施の形態における光ディスク装置の平面図
【図６】本発明の一実施の形態における光ディスク装置の平面図
【図７】レール保持部の先端部とレール保持部収納領域の位置関係を示す図
【図８】レール保持部の先端部とレール保持部収納領域の位置関係を示す図
【図９】レール保持部の先端部とレール保持部収納領域の位置関係を示す図
【図１０】本発明の一実施の形態における平板部の図
【図１１】本発明の一実施の形態における突起部の一例を示す図
【図１２】従来の光ディスク装置の外観斜視図
【図１３】従来の光ディスク装置から上部筐体部を除いた平面図
【図１４】従来の光ディスク装置におけるイジェクトロック機構部を示す平面図
【図１５】従来の光ディスク装置におけるトレイが筐体に収納される時のイジェクトロック機構部の復帰動作を示す図
【符号の説明】
【００６１】
１    光ディスク装置
２    筐体
２ａ    上部筐体部
２ｂ    下部筐体部
２ｃ    主平面部
３    トレイ
４    光ピックアップモジュール
５    レール
６    レール保持部
６ａ    先端部
７    スピンドルモータ
７ａ    光ディスク装着部
８    カバー
８ａ    開口
９    キャリッジ
１０    ベゼル
１１    イジェクトボタン
１２    ソレノイド
１３    可動片
１４    リセットアーム
１５    リリースアーム
１６    ロックアーム
１７    イジェクトスプリング
１８    ロックシャフト
１９    イジェクトアーム
２０    光ピックアップ
３０    レールガイド
３１    突起部
３１ａ    平面部
３２    レール保持部収納領域
４１    平板部
【図１】
2007066485.tif 000003
【図２】
2007066485.tif 000004
【図３】
2007066485.tif 000005
【図４】
2007066485.tif 000006
【図５】
2007066485.tif 000007
【図６】
2007066485.tif 000008
【図７】
2007066485.tif 000009
【図８】
2007066485.tif 000010
【図９】
2007066485.tif 000011
【図１０】
2007066485.tif 000012
【図１１】
2007066485.tif 000013
【図１２】
2007066485.tif 000014
【図１３】
2007066485.tif 000015
【図１４】
2007066485.tif 000016
【図１５】
2007066485.tif 000017